(57)【要約】【課題】  最後まで電池容量を使いきることができ、しかも省スペース化、ローコスト化を達成しつつ、レンズバリアを確実に閉じることができる画像記録装置を提供する。【解決手段】  撮影レンズの前面位置、又は筐体に取り付けられ、撮影時には開いて撮影可能になり、非撮影時には閉じてレンズを保護するレンズバリアを備えた画像記録装置において、制御手段２０により電源の給電状態を監視し、電源の電圧が所定レベルより低下したと判別した場合、レンズバリアを閉じるために、電源が給電する負荷が小さくなるように制御するようにした。【選択図】      図２
2006259613.tif 000002
【特許請求の範囲】
【請求項１】
撮影レンズの前面位置、又は筐体に取り付けられ、撮影時には開いて撮影可能になり、非撮影時には閉じてレンズを保護するレンズバリアを備えた画像記録装置において、
電源と、
前記電源の給電状態を監視する給電状態監視手段と、
前記給電状態監視手段により前記電源の電圧が所定レベルより低下したと判別した場合、前記レンズバリアを閉じるために、前記電源が給電する負荷が小さくなるように制御する制御手段と、
を備えたことを特徴とする画像記録装置。
【請求項２】
撮影レンズの前面位置、又は筐体に取り付けられ、撮影時には開いて撮影可能になり、非撮影時には閉じてレンズを保護するレンズバリアを備えた画像記録装置において、
電源と、
前記電源の給電状態を監視する給電状態監視手段と、
前記給電状態監視手段により前記電源の電圧が所定レベルより低下したと判別した場合、前記前記レンズバリアを閉じるために、前記電源より前記撮影レンズ鏡胴を駆動するための負荷にのみ給電を行うように制御する制御手段と、
を備えたことを特徴とする画像記録装置。
【請求項３】
撮影レンズの前面位置、又は筐体に取り付けられ、撮影時には開いて撮影可能になり、非撮影時には閉じてレンズを保護するレンズバリアを備えた画像記録装置において、
電源と、
前記電源の給電状態を監視する給電状態監視手段と、
前記給電状態監視手段により前記電源の電圧が所定レベルより低下したと判別した場合、前記レンズバリアを閉じるために再起動を実行するように制御する制御手段と、
を備えたことを特徴とする画像記録装置。
【請求項４】
請求項１乃至請求項３のいずれか１項に記載の画像記録装置において、
前記撮影レンズ鏡胴の動作状態を監視する動作状態監視手段を備え、
前記制御手段は、前記給電状態監視手段により、前記電源の電圧が所定レベルより低下し、且つ、前記動作状態監視手段により前記レンズバリアが開いた状態で動作停止していると判別した場合に、前記レンズバリアを閉じるための制御を実行することを特徴とする画像記録装置。
【請求項５】
請求項１乃至請求項４のいずれか１項に記載の画像記録装置において、
前記制御手段が前記レンズバリアを閉じるための制御を繰り返し実行することを特徴とする画像記録装置。
【請求項６】
請求項５に記載の画像記録装置において、
前記制御手段は、繰り返し実行する制御に制限を設けるようにしたことを特徴とする画像記録装置。
【請求項７】
請求項１又は請求項４に記載の画像記録装置において、
前記制御手段が制御を繰り返し実行する際に前記負荷を徐々に小さくしていくことを特徴とする画像記録装置。
【請求項８】
請求項７に記載の画像記録装置において、
前記制御手段は、前記負荷を徐々に小さくしていく制御に制限を設けるようにしたことを特徴とする画像記録装置。
【請求項９】
請求項１乃至請求項８の何れか１項に記載の画像形成装置において、前記制御手段は、撮影時に電源の供給能力が低下し、前記レンズバリアが開いた状態で動作を停止していると判別した場合に、前記レンズバリアの状態を検出するようにしたことを特徴とする画像記録装置。
【請求項１０】
請求項１乃至請求項８の何れか１項に記載の画像形成装置において、前記制御手段は、撮影時に電源の供給能力が低下し、前記レンズバリアが開いた状態で動作を停止していると判別した場合に、前記電源の状態を検出するようにしたことを特徴とする画像記録装置。
【請求項１１】
請求項１乃至請求項１０の何れか１項に記載の画像記録装置において、
前記制御手段は、ＡＣアダプタ以外の電源が接続されているときに前記レンズバリアを閉じるための制御を実行することを特徴とする画像記録装置。
【発明の詳細な説明】
【技術分野】
【０００１】
本発明は、カメラなどの画像記録装置に関わり、特に画像記録装置を保護するのに好適なものである。
【背景技術】
【０００２】
従来カメラなどの画像記録装置には、電池を電源とし、撮影時には筐体から突出し、非撮影時には筐体内に沈下収納することができる沈胴式の撮影レンズ鏡胴（以下、単に「鏡胴」という）と、撮影レンズの前面位置、又は筐体に取り付けられていて、撮影時には開いて撮影可能になり、非撮影時には閉じてレンズを保護するレンズバリアとを備えたものがある。このような画像記録装置は、撮影時に電池容量が消費されて給電能力が低下すると、レンズバリアが開いたままの状態で動作が停止して、撮影レンズを破損するおそれがあった。
そこで、このような状態を回避するために、従来は電池の容量がまだ多く残っているにも関わらず、レンズバリアを動作可能なうちに動作を停止するようにしていた。
また特許文献１には、主電源の他に補助電源を設け、レンズバリアが閉じなかった場合は、補助電源でレンズバリアを動作させるようにしたカメラが開示されている。
また特許文献２には、レンズバリアが閉じなかった場合は、ストロボ用のコンデンサを電源として鏡胴を動作させるようにしたレンズ沈胴式のカメラが開示されている。
【特許文献１】特開平１１−３３８０１１号公報
【特許文献２】特開２０００−２６７１６４公報
【発明の開示】
【発明が解決しようとする課題】
【０００３】
しかしながら、従来のようにレンズバリアが開いたままになる状態を回避するために、電池の容量がまだ多く残っているにも関わらず、鏡胴が動作可能な内に動作を停止した場合は、最後まで電池の容量を使い切ることができないという欠点があった。
また特許文献１では、補助電源を備える必要があるため、省スペース化、ローコスト化を図ることができないという欠点があった。
さらに特許文献２では、ストロボ用コンデンサの充電電圧が３００Ｖ程度の高圧であるため、電圧を降下させる部材が必要になること、及びストロボ用途と強度レンズバリアの駆動とを切替えるためのスイッチが必要になるため、やはり省スペース化、ローコスト化を図ることができないという欠点があった。
そこで、本発明は上記したような点を鑑みてなされたものであり、最後まで電池容量を使いきることができ、しかも省スペース化、ローコスト化を達成しつつ、レンズバリアを確実に閉じることができる画像記録装置を提供する。
【課題を解決するための手段】
【０００４】
上記目的を達成するため、請求項１に記載の発明は、撮影レンズの前面位置、又は筐体に取り付けられ、撮影時には開いて撮影可能になり、非撮影時には閉じてレンズを保護するレンズバリアを備えた画像記録装置において、電源と、前記電源の給電状態を監視する給電状態監視手段と、前記給電状態監視手段により前記電源の電圧が所定レベルより低下したと判別した場合、前記レンズバリアを閉じるために、前記電源が給電する負荷が小さくなるように制御する制御手段と、を備えたことを特徴とする。
請求項２に記載の発明は、撮影レンズの前面位置、又は筐体に取り付けられ、撮影時には開いて撮影可能になり、非撮影時には閉じてレンズを保護するレンズバリアを備えた画像記録装置において、電源と、前記電源の給電状態を監視する給電状態監視手段と、前記給電状態監視手段により前記電源の電圧が所定レベルより低下したと判別した場合、前記前記レンズバリアを閉じるために、前記電源より前記撮影レンズ鏡胴を駆動するための負荷にのみ給電を行うように制御する制御手段と、を備えたことを特徴とする。
請求項３に記載の発明は、撮影レンズの前面位置、又は筐体に取り付けられ、撮影時には開いて撮影可能になり、非撮影時には閉じてレンズを保護するレンズバリアを備えた画像記録装置において、電源と、前記電源の給電状態を監視する給電状態監視手段と、前記給電状態監視手段により前記電源の電圧が所定レベルより低下したと判別した場合、前記レンズバリアを閉じるために再起動を実行するように制御する制御手段と、を備えたことを特徴とする。
請求項４に記載の発明は、請求項１乃至請求項３のいずれか１項に記載の画像記録装置において、前記撮影レンズ鏡胴の動作状態を監視する動作状態監視手段を備え、前記制御手段は、前記給電状態監視手段により、前記電源の電圧が所定レベルより低下し、且つ、前記動作状態監視手段により前記レンズバリアが開いた状態で動作停止していると判別した場合に、前記レンズバリアを閉じるための制御を実行することを特徴とする。
【０００５】
請求項５に記載の発明は、請求項１乃至請求項４のいずれか１項に記載の画像記録装置において、前記制御手段が前記レンズバリアを閉じるための制御を繰り返し実行することを特徴とする。
請求項６に記載の発明は、請求項５に記載の画像記録装置において、前記制御手段は、繰り返し実行する制御に制限を設けるようにしたことを特徴とする。
請求項７に記載の発明は、請求項１又は請求項４に記載の画像記録装置において、前記制御手段が制御を繰り返し実行する際に前記負荷を徐々に小さくしていくことを特徴とする。
請求項８に記載の発明は、請求項７に記載の画像記録装置において、前記制御手段は、前記負荷を徐々に小さくしていく制御に制限を設けるようにしたことを特徴とする。
請求項９に記載の発明は、請求項１乃至請求項８の何れか１項に記載の画像形成装置において、前記制御手段は、撮影時に電源の供給能力が低下し、前記レンズバリアが開いた状態で動作を停止していると判別した場合に、前記レンズバリアの状態を検出するようにしたことを特徴とする。
請求項１０に記載の発明は、請求項１乃至請求項８の何れか１項に記載の画像形成装置において、前記制御手段は、撮影時に電源の供給能力が低下し、前記レンズバリアが開いた状態で動作を停止していると判別した場合に、前記電源の状態を検出するようにしたことを特徴とする。
請求項１１に記載の発明は、請求項１乃至請求項１０の何れか１項に記載の画像記録装置において、前記制御手段は、ＡＣアダプタ以外の電源が接続されているときに前記レンズバリアを閉じるための制御を実行することを特徴とする。
【発明の効果】
【０００６】
請求項１に記載の発明によれば、レンズバリアが開いた状態で動作が停止した場合には、制御手段により電源により給電する負荷を小さくすることでレンズバリアを閉じさせるようにしているので、電池容量を使いきることができ、しかも省スペース化、ローコスト化を達成しつつ、レンズバリアを確実に閉じることができるようになる。
請求項２に記載の発明によれば、レンズバリアが開いた状態で動作が停止した場合には、制御手段により、電源からレンズバリアを駆動するモータに給電を行うことでレンズバリアを閉じさせるようにしているので、電池容量を使いきることができ、しかも省スペース化、ローコスト化を達成しつつ、レンズバリアを確実に閉じることができるようになる。
請求項３に記載の発明によれば、レンズバリアが開いた状態で動作が停止した場合には、制御手段により再起動を実行することでレンズバリアを閉じさせるようにしているので、電池容量を使いきることができ、しかも省スペース化、ローコスト化を達成しつつ、レンズバリアを確実に閉じることができるようになる。
請求項４に記載の発明によれば、電源の給電能力低下によりレンズバリアが開いた状態で動作停止状態にあることを確実に判別することが可能になる。
請求項５に記載の発明によれば、制御手段によりレンズバリアを動作させるための制御を繰り返し実行することで、レンズバリアを閉じている途中で、再び給電能力が低下してレンズバリアの動作が停止してしまうような場合でも、レンズバリアを閉じることができるようになる。
請求項６に記載の発明によれば、制御手段により繰り返し実行する制御に制限を設けることで、レンズバリアを動作させるための制御を繰り返し動作が無限ループになって制御不能になるといった事態を回避することができる。
請求項７に記載の発明によれば、制御手段によりレンズバリアを動作させるための制御を繰り返し実行する際に負荷を小さくしていくことで、レンズバリアを閉じている途中で、再び給電能力が低下して動作が途中で停止してしまうような場合でも、確実にレンズバリアを閉じることができる。
請求項８に記載の発明によれば、制御手段により負荷を小さくしていく制御に制限を設けることで、繰り返し動作が無限ループになって制御不能になるといった事態を回避することができる。またレンズバリアが動作出来ないほど、或いは制御手段が動作出来ないほど負荷を小さくするといった無駄な動作を実行することもない。
請求項９、１０の発明によれば、制御手段により、レンズバリアの状態や電源の状態を確認することで、無駄な動作を回避することができそれだけ省電力化を図ることができる。
請求項１１に記載の発明によれば、制御手段は電源としてＡＣアダプタ等の電源供給能力が低下することのない電源が接続された場合には、動作制御を実行しないようにすることで無駄な動作を回避し省電力化を図ることができる。
【発明を実施するための最良の形態】
【０００７】
以下、本発明の画像記録装置の実施形態について説明する。
なお、図示していないが本実施形態の画像記録装置は、撮影時には筐体から突出し、非撮影時には筐体内に沈下収納される沈胴式の撮影レンズ鏡胴と、撮影レンズの前面位置、又は筐体に取り付けられていて、撮影時には開いて撮影可能になり、非撮影時には閉じてレンズを保護するレンズバリアを備えている。
［第１の実施形態］
先ず、図１、図２を参照しながら本発明の第１の実施形態について説明する。
図１は本発明の実施形態に係る画像記録装置のブロック図である。
この画像記録装置１においては、電源ブロックとして、単三電池２や専用のリチウム電池３、ＡＣアダプタ４が取り付け可能に構成されている。画像記録装置１内には、電源電圧を変換して必要な各種の電圧を発生するＤＣ／ＤＣコンバータ１１と、撮影レンズ鏡胴（以下、単に「鏡胴」という）１２が設けられている。また周囲温度を検出する温度センサ１３と、各種演算処理を行うデジタルシグナルプロセッサ（ＤＳＰ）１４と、レンズからの光信号を電気信号に変換するＣＣＤ（電荷結合素子）１５と、画像を記憶するメモリ１６と、ＬＣＤディスプレイ（ＬＣＤ）１７と、音声を出力する音声部１８が設けられている。さらに電源からの電力供給に基づいて制御システム２０をリセットするリセットＩＣ１９ａと、ＤＣ／ＤＣコンバータ１１からの電力供給に基づいて制御システム２０をリセットするリセットＩＣ１９ｂと、全体の制御を司る制御手段（ＣＰＵ）２０が設けられている。なお、リセットＩＣ１９ａ、１９ｂは、何れか一方に設けるようにすれば良い。
鏡胴１２には、ズームモータ３１、フォーカスモータ３２、シャッタモータ３３、絞りモータ３４、レンズバリアモータ３５及び各モータを制御するモータードライバ３６が設けられている。
【０００８】
ところで、電源に電池などのバッテリ電源を使用した撮影時において、電池の供給能力が低下した時、通常は電池終了で非撮影状態に移行されるが、例えば電池特性の違うもの（アルカリ電池、ニッケル水素電池、リチウム電池、ニッケルマンガン電池、マンガン電池等）や、電池特性が低下しているもの（環境温度が低いところで電池を使用している、使用期限を越えて使用している、何度も電池終了状態を繰返して使用しているなど）、電池の接触端子が汚れている、或いは錆びている時などは電池の供給能力が極端に低下し、電池終了として非撮影状態に移行する前に、即ち鏡胴を沈下収納させる前に電池は給電不能になり、今まで行っていた動作の続行が不可能となる。
そこで、本実施形態の画像記録装置では、制御手段２０に電源ブロックからの電力供給ラインの電源電圧が例えば所定電圧（画像記録装置が動作できなくなる、または、強負荷駆動が出来なくなる電圧）以下になったかどうか監視する給電状態監視機能を設けるようにしている。
そのうえで、制御手段２０において、電源供給能力が所定以下まで低下したと判別した場合には、レンズバリアが開いた状態で動作が停止していると判断して、レンズバリアを閉じるために今まで行っていた通常動作における負荷よりも負荷を小さくし、レンズバリアを閉じるための給電能力を確保するようにした。
負荷を小さくする方法は、例えばレンズバリアを駆動するレンズバリアモータ３５やモータードライバの駆動能力を小さくする（電圧を低くする、または電流を少なくする）方法や、各ユニットの電源を止めたり、駆動能力を小さくしたりする方法がある。
【０００９】
また、本実施形態の画像記録装置では、制御手段２０において、電源供給能力が所定レベルより低下したと判別した場合には、レンズバリアが開いた状態で動作が停止していると判断して、レンズバリアを閉じるための最低限の通電を行い、例えばレンズバリアを動作させるためのレンズバリアモータ３５やモータードライバ３６と制御手段２０だけに通電を行うことで、レンズバリアを閉じるための給電能力を確保することも可能である。
また本実施形態の画像記録装置においては、レンズバリアの動作を停止する直前に、電源に対して強負荷がかかることがあり、このような場合に電源の給電能力が大きく低下することで、制御手段２０やその他のユニットに電源が正常に供給されず暴走するといったことがある。制御手段２０が暴走した状態ではレンズバリアを動作させることはできない。このため、本実施形態では、制御手段２０において、電源供給能力が所定レベルより低下したと判別した場合に、リセットＩＣ１９ａまたはリセットＩＣ１９ａをハードまたはプログラムなどのソフトにより駆動してシステムの再起動を行い、レンズバリアを閉じさせるようにした。
【００１０】
図２は本発明の画像記録装置が第１の実施形態に係る動作を実現するための処理を示したフローチャートである。なお、以下に説明する処理は、電源がオンになったときに制御手段２０が繰り返し実行するものである。
この場合、制御手段２０は、電源がオンになると撮影を行うことが出来る撮影状態に移行する（Ｓ１）。そして、制御手段２０は、電源ブロックの電力供給能力が低下したか否かの判別を行う。即ち、電源ブロックからの電力供給ラインの電源電圧が、画像記録装置が動作できなくなる電圧レベル以下、または強負荷駆動が出来なくなる電圧以下になっていないかどうか判別する（Ｓ２）。
ステップＳ２において、電圧供給能力が低下していなければ（Ｓ２でＮ）、そのまま処理を終えることになる。一方、ステップＳ２において、電圧供給能力が低下したと判別した場合は（Ｓ２でＹ）、ステップＳ３−１、或いはＳ３−２、Ｓ３−３の何れかに進むことになる。
ステップＳ３−１に進んだ場合は、これまで行っていた通常動作よりも負荷が小さくなるように制御し、続くステップＳ４においてレンズバリアを閉じさせるように制御して処理を終えるようにする。
またステップＳ３−２に進んだ場合は、レンズバリアを動作させるための最低限の通電を行うように制御し、続くステップＳ４において鏡胴１２を沈下収納させるように制御して処理を終えるようにする。
またステップＳ３−３に進んだ場合は、リセットＩＣ１９ａ、またはリセットＩＣ１９ｂをハード、またはプログラムなどのソフトによるシステムの再起動が行われるように制御し、続くステップＳ４において、レンズバリアを閉じさせるように制御して処理を終えるようにする。
このようにすれば、従来のようにレンズバリアが閉じない状態を回避するために電池の容量がまだ多く残っているにも関わらず、レンズバリアを動作可能なうちに動作を停止する必要がないので最後まで電池容量を使いきることができるようになる。また補助電源や電圧を降下させる部材などを設ける必要がないため、省スペース化、ローコスト化を達成しつつ、鏡胴を確実に筐体内に収納することができるようになる。
【００１１】
［第２の実施形態］
また第２の実施形態の画像記録装置においては、制御手段２０により、レンズバリアの状態、例えばレンズバリアモータ３５やモータードライバ３６の電圧や電流や、レンズバリアが動作しているか否等により動作状態を監視する動作状態監視手段としての機能が設けられており、電源電圧が所定レベルより低下し、且つ、レンズバリアが開いた状態で動作が停止していると判別した場合に、上述したようなレンズバリアを閉じるための制御を実行するようにしている。なお、レンズバリアが動作しているか否かは、図示していないエンコーダのパルスの読込などを監視することにより判別することができる。
図３は本発明の画像記録装置が第２の実施形態に係る動作を実現するための処理を示したフローチャートである。なお、図２と同一処理を行うステップには同一ステップ番号を付し説明は省略する。
この場合、制御手段２０は、ステップＳ２において、電圧供給能力が低下したと判別した場合は（Ｓ２でＹ）、ステップＳ２−１に進んで、レンズバリアが開いたまま動作が停止したかどうか判別する。ステップＳ２−１において、レンズバリアが開いた状態で動作が停止していなければ（Ｓ２−１でＮ）、そのまま処理を終了する。一方、レンズバリアが開いた状態で動作が停止した場合に（Ｓ２−１でＹ）、ステップＳ３−１、或いはＳ３−２、Ｓ３−３の何れかに進むようにする。
このようにすれば、電源の給電能力低下により、レンズバリアが開いたまま動作停止状態にあることを確実に判別することが可能になる。
［第３の実施形態］
図４は本発明の画像記録装置が第３の実施形態に係る動作を実現するための処理を示したフローチャートである。なお、図２と同一処理を行うステップには同一ステップ番号を付し説明は省略する。
この場合、制御手段２０は、ステップＳ４において、レンズバリアを閉じさせるように制御した後、ステップＳ５において、レンズバリアが閉じた状態にあるかどうかの判別を行い、レンズバリアが閉じた状態になるまで、ステップＳ３（Ｓ３−１、Ｓ３−２、Ｓ３−３）から処理を繰り返し行うようにする。このようにすれば、レンズバリアを閉じている途中で、再び電源からの給電能力が低下してレンズバリアの動作が停止してしまうような場合でも、レンズバリアを閉じさせることができる。
【００１２】
［第４の実施形態］
図５は本発明の画像記録装置が第４の実施形態に係る動作を実現するための処理を示したフローチャートである。なお、図４と同一処理を行うステップには同一ステップ番号を付し説明は省略する。
この場合、制御手段２０は、ステップＳ５において、レンズバリアが閉じた状態にあるかどうかの判別を行った際に、レンズバリアが閉じた状態に無いと判別した場合、ステップＳ６に進み、レンズバリアを閉じるための繰り返し動作が何らかの制限を越えていないか否かの判別を行い、制限を越えていない場合はステップＳ３（Ｓ３−１、Ｓ３−２、Ｓ３−３）に戻って処理を繰り返し行うようにする。そして、ステップＳ６において、制限を越えたと判別した場合はそのまま処理を終えるようにする。この場合の何らかの制限としては、例えば、繰返す回数や、繰り返し時間などが考えられる。また繰り返し回数のカウント方法はカウンタを、繰り返し時間はタイマを利用することで実現することができる。このようにすれば、レンズバリアを動作させるための繰り返し動作が無限ループになって制御不能になるといった事態を回避することができる。
［第５の実施形態］
図６は本発明の画像記録装置が第５の実施形態に係る動作を実現するための処理を示したフローチャートである。なお、図４と同一処理を行うステップには同一ステップ番号を付し説明は省略する。
この場合、制御手段２０は、ステップＳ５において、レンズバリアは閉じた状態にあるかどうかの判別を行った際に、レンズバリアは閉じた状態に無いと判別した場合、ステップＳ７に進み、電源に対する負荷を小さくしてステップＳ４に戻る。そしてステップＳ５において、レンズバリアは閉じた状態にあると判別されるまで繰り返し電源に対する負荷を小さくしていくようにする。このようにすれば、レンズバリアが閉じている途中で、再び電源からの給電能力が低下してレンズバリアの動作が停止してしまうような場合でも、レンズバリアを確実に閉じさせることができる。
【００１３】
［第６の実施形態］
図７は本発明の画像記録装置が第６の実施形態に係る動作を実現するための処理を示したフローチャートである。なお、図５と同一処理を行うステップには同一ステップ番号を付し説明は省略する。
この場合、制御手段２０は、ステップＳ６において、レンズバリアを閉じさせるための繰り返し動作が何らかの制限を越えていないと判別した場合に、ステップＳ７に進み、電源に対する負荷を小さくしてステップＳ４に戻る。そしてステップＳ５において、レンズバリアが閉じた状態に無いと判別した場合、ステップＳ６に進み、レンズバリアを閉じさせるための繰り返し動作が何らかの制限を越えていないか否かの判別を行い、制限を越えていない場合は、電源に対する負荷をさらに小さくしていくようにする。そしてステップＳ６において制限を越えたと判別した時点で処理を終えるようにする。
このようにすれば、レンズバリアを動作させるための繰り返し動作が無限ループになって制御不能になるといった事態を回避することができる。レンズバリアを動作出来ないほど、或いは制御手段２０を動作出来ないほど負荷を小さくするといった無駄な動作を実行することも防ぐことができる。
【００１４】
［第７の実施形態］
図８は本発明の画像記録装置が第７の実施形態に係る動作を実現するための処理を示したフローチャートである。
この場合、制御手段２０は、電源がオンになると撮影を行うことが出来る撮影状態に移行し（Ｓ１１）、電源ブロックの電力供給能力が低下したか否かの判別を行う（Ｓ１２）。そして電圧供給能力が低下していなければ（Ｓ１２でＮ）、そのまま処理を終えることになる。一方、ステップＳ１２において、電圧供給能力が低下したと判別した場合は（Ｓ１２でＹ）、ステップＳ１３−１またはＳ１３−２に進む。
ステップＳ１３−１に進んだ場合は、レンズバリアの状態を検出して、レンズバリアが閉じた状態にあるか否かの判別を行う（Ｓ１４−１）。レンズバリアの状態は例えば各モータ、又はモータードライバの電圧や電流、或いは図示しないエンコーダのパルス読み込みなどにより鏡胴１２の動作が停止しているか否か、或いは鏡胴１２の繰出位置などを検出することにより判別することができる。そして、レンズバリアが閉じた状態にあると判別したときは（１４−１でＹ）処理を終了し、そうでなければ（Ｓ１４−１でＮ）、ステップＳ１５−１、Ｓ１５−２、Ｓ１５−３の何れかに進むことになる。
ステップＳ１５−１に進んだ場合は、これまで行っていた通常動作よりも負荷が小さくなるように制御し、続くステップＳ１６においてレンズバリアを閉じさせるように制御して処理を終えるようにする。
またステップＳ１５−２に進んだ場合は、レンズバリアを動作させるための最低限の通電を行うように制御し、続くステップＳ１６においてレンズバリアを閉じさせるように制御して処理を終えるようにする。
またステップＳ１５−３に進んだ場合は、リセットＩＣ１９ａ、またはリセットＩＣ１９ｂをハード、またはプログラムなどのソフトによるシステムの再起動が行われるように制御し、続くステップＳ１６において、レンズバリアを閉じさせるように制御して処理を終えるようにする。
なおステップＳ１２からステップＳ１３−２に進んだ場合は、電源の状態を検出して、電源に給電能力があるか否かの判別を行う（Ｓ１４−２）。電源の状態は、例えば電源電圧や電流電源の温度などを検出することにより給電能力があるか否か判別することができる。そして、電源に給電能力があると判別したときは（１４−２でＹ）処理を終了し、そうでなければ（Ｓ１４−２でＮ）、ステップＳ１５−１、Ｓ１５−２、Ｓ１５−３の何れかに進むようにする。
このようにして、レンズバリアの状態や電源の状態を確認することで、無駄な動作を回避することができ、それだけ省電力化を図ることができる。
【００１５】
なお、制御手段２０の電源が、電池などのバッテリ電源ではなくＡＣアダプタの時はこれまで説明した制御を行わないようにする。電源がＡＣアダプタか否かの判断は、例えばＡＣアダプタ検出ＳＷを設けたり、ＡＣアダプタ電気的特性（出力電圧や電流容量や周波数特性など）が他の電源と違う場合はその特性の違いを検出したりする。このようにＡＣアダプタ等の電源供給能力が低下することのない電源が接続された場合には、本実施形態の制御を行うことなくバッテリ電源の時のみ行うようにすれば、必要なときのみ制御を行うようにできるので省電力化を図ることができる。
また本実施の形態では、制御手段２０において電源供給能力が所定レベル以下まで低下したと判別した場合に、レンズバリアを閉じるために今まで行っていた通常動作における負荷よりも負荷を小さくしてレンズバリアを動作させる給電能力を確保したり、レンズバリアを閉じるための最低限の通電を行ったり、或いはリセットＩＣ１９ａまたはリセットＩＣ１９ａにより再起動をするようにしているが、これらの処理を組み合わせて行うことも可能である。例えば、レンズバリアを閉じるために通常動作における負荷よりも負荷を小さくする処理と、リセット処理を組み合わせたり、レンズバリアを閉じるために最低限の通電を行う処理とリセット処理を組み合わせたりすることが可能である。その場合にはシステムを再起動してから負荷を小さくする処理や最低限の通電を行う処理を実行するとより確実にレンズバリアを閉じることが可能になる。
【図面の簡単な説明】
【００１６】
【図１】本発明の実施形態に係る画像記録装置のブロック図である。
【図２】本発明の画像記録装置が第１の実施形態に係る動作を実現するための処理を示したフローチャートである。
【図３】本発明の画像記録装置が第２の実施形態に係る動作を実現するための処理を示したフローチャートである。
【図４】本発明の画像記録装置が第３の実施形態に係る動作を実現するための処理を示したフローチャートである。
【図５】本発明の画像記録装置が第４の実施形態に係る動作を実現するための処理を示したフローチャートである。
【図６】本発明の画像記録装置が第５の実施形態に係る動作を実現するための処理を示したフローチャートである。
【図７】本発明の画像記録装置が第６の実施形態に係る動作を実現するための処理を示したフローチャートである。
【図８】本発明の画像記録装置が第７の実施形態に係る動作を実現するための処理を示したフローチャートである。
【符号の説明】
【００１７】
１  画像記録装置、２  単三電池。３  専用のリチウム電池、４  ＡＣアダプタ、１１  ＤＣ／ＤＣコンバータ、１２  撮影レンズ鏡胴部、１３  温度センサ、１４  ＤＳＰ、  １５  ＣＣＤ、１６  メモリ、１７  ＬＣＤ、１８  音声部、１９ａ、１９ｂ  リセットＩＣ、２０  制御手段（ＣＰＵ）、３１  ズームモータ、３２  フォーカスモータ、３３  シャッタモータ３３、３４  絞りモータ、３５  レンズバリアモータ、３６  モータードライバ
【図１】
2006259613.tif 000003
【図２】
2006259613.tif 000004
【図３】
2006259613.tif 000005
【図４】
2006259613.tif 000006
【図５】
2006259613.tif 000007
【図６】
2006259613.tif 000008
【図７】
2006259613.tif 000009
【図８】
2006259613.tif 000010